【事件の表示】
　特願２０００−１９１５７３「音声合成システム、音声合成方法、サーバ、記憶媒体」拒絶査定不服審判事件〔平成１４年　１月２５日出願公開、特開２００２−　２３７７７〕について、次のとおり審決する。
【結　論】
　本件審判の請求は、成り立たない。
【理　由】
第１　手続の経緯 
　本願は、平成１２年６月２６日の出願であって、平成１６年４月１９日付けの拒絶理由通知に対して、同年７月２２日付けで手続補正がされたが、同年１２月１日付けで拒絶査定され、これに対し、平成１７年２月１７日に拒絶査定不服の審判が請求されるとともに、手続補正がされたものである。
　
　
第２　平成１７年２月１７日付けの手続補正についての補正却下の決定
［補正却下の決定の結論］
　　平成１７年２月１７日付けの手続補正（以下、「本件補正」という。）を却下する。
［理由］
１．本件補正前及び本件補正後の本願発明
　本件補正は、特許請求の範囲及び発明の詳細な説明についてするもので、特許請求の範囲については、本件補正前の請求項６に記載の「サーバ」について、「音声合成により得られた音声合成データを、当該ネットワークを介して当該顧客の端末に配信する」ことを限定するものであるから、平成１８年改正前特許法第１７条の２第４項第２号に掲げる事項を目的とするものである。また、本件補正により、本件補正前の「当該音声データ格納部」が「当該音声特徴データ格納部」と訂正されたが、これは、同法第１７条の２第４項第３号に掲げる事項を目的とするものである。
　そこで、本件補正後における特許請求の範囲に記載されている事項により構成される発明が特許出願の際独立して特許を受けることができるものであるか（平成１８年改正前特許法第１７条の２第５項において準用する同法第１２６条第５項に規定する要件を満たすか）否かを、請求項６に係る発明（以下、「本願補正発明」という。）について以下に検討する。
　本願補正発明は、次のとおりのものである。
 「【請求項６】　ネットワーク上に接続された顧客の端末の要求に応じて音声合成し、音声合成により得られた音声合成データを、当該ネットワークを介して当該顧客の端末に配信するサーバであって、
　話者の音声を分析して得られた声質データおよび韻律データを含む音声特徴データを格納する音声特徴データ格納部と、
　前記ネットワークを介して、音声合成すべき文章および話者の指定を含む前記顧客の端末からの要求を受け付ける要求受付部と、
　前記要求受付部を介して入力された前記顧客の端末からの要求に応じ、前記音声特徴データ格納部に格納される音声特徴データのうち指定された話者の声質データおよび当該指定された話者の韻律データを当該音声特徴データ格納部から読み出し、指定された前記音声合成すべき文章を、当該指定された話者の韻律データに基づいて韻律制御を行うとともに当該指定された話者の声質データを組み合わせることによって音声合成する音声合成データ生成部と、
　音声合成することにより生成した音声合成データを、前記ネットワークを介して当該顧客の端末に受け渡すデリバリ処理部と
を備えることを特徴とするサーバ。」 
　
２．引用刊行物記載の発明 
　これに対して、原査定の拒絶の理由に引用された、本願出願日の前である平成５年９月１０日に頒布された特開平５−２３３５６５号公報（以下、「引用例１」という。）には、図面とともに以下の事項が記載されている。
（ａ）
「【０００１】
【産業上の利用分野】本発明は、ローカルエリアネットワーク（ＬＡＮ）に、複数のクライアントと少なくとも１つの音声合成サーバとが接続された音声合成システムに関する。
【０００２】
【従来の技術】ＬＡＮ上にクライアントと音声合成サーバを設置し、クライアントの要求に従ってテキストの合成音声を生成し、クライアントに転送するシステムが丸川、砂川によって提案されている
（中略）
【０００４】クライアント１側では、音声波形を波形受信部１３で受信し、音声出力部１５が音声波形を音声として再生する。」
（ｂ）
「【００１２】
【課題を解決するための手段】図１の原理図１に対応する発明は、ローカルエリアネットワーク（ＬＡＮ）上に、音声化すべきテキストデータを入力するテキスト入力部１１と、合成音声を出力する音声出力部１５とを有する複数のクライアント１と、合成音声波形を生成する波形生成部２４を有する少なくとも１つの音声合成サーバ２とを備えた音声合成システムを前提にする。
（中略）
【００１５】図２の原理図２において、クライアント１の表音記号生成部１６は、テキスト入力部１１から入力されるテキストデータに基づいて表音記号（表音記号列）を生成する。ここで、表音記号とは、入力されたテキストデータの発音、アクセント、イントネーションなどを示す記号である。
【００１６】音響パラメータ生成部１７は、上記表音記号に基づいて音響パラメータ（音響パラメータ時系列）を生成する。データ送信部１１０は、クライアント１がテキスト入力部１１と表音記号生成部１６とを有する場合には、表音記号を音声合成サーバ２に送信し、クライアント１がテキスト入力部１１と、表音記号生成部１６と、音響パラメータ生成部１７とを有する場合には、音響パラメータを音声合成サーバ２に送信する。
【００１７】データ受信部１２０は、音声合成サーバ２から出力される音声波形を受信する。音声合成サーバ２のデータ受信部２１０は、クライアント１から送信されるデータを受信する。
【００１８】表音記号生成部２２は、データ受信部２１０で受信されたテキストデータに基づいて表音記号を生成する。音響パラメータ生成部２３は、表音記号に基づいて音響パラメータを生成する。
【００１９】波形生成部２４は、音響パラメータに基づいて合成音声波形を生成する。データ制御部２７０は、データ受信部２１０においてテキストデータを受信した場合には、受信したテキストデータをデータ受信部２１０から表音記号生成部２２へ出力させ、表音記号を受信した場合には、受信した表音記号を音響パラメータ生成部２３へ出力させ、音響パラメータを受信した場合には、受信した音響パラメータを波形生成部２４へ出力させる選択制御を行う。
（中略）
【００２３】また、データ制御部２７０は、音声合成要求を行ったクライアント１が波形生成部１８を有する場合には、自己の負荷状況、ＬＡＮの負荷状況等に応じて、データ送信部２６０からクライアント１へ音声波形を送信させるか、音響パラメータを送信させるかを選択制御する。」
（ｃ）
「【００６０】
【実施例】以下、本発明の実施例を図面を参照しながら説明する。図７は、本発明の実施例１の音声合成システムの構成図である。この実施例は、少なくとも１つの音声合成サーバ２と複数のクライアント１とが接続されてＬＡＮが形成されている場合を示している。
【００６１】クライアント１には、音声合成すべきメッセージをテキストデータとして入力するテキスト入力部１１、このテキスト入力部１１から入力されたテキストデータを音声合成サーバ２に送信するテキスト送信部１２、音声合成サーバ２から送信される符号化された音声波形を受信する波形受信部１３、受信した音声波形を復号する波形復号化部１４、復号された音声ディジタルデータをアナログデータに変換するＤＡ変換部１５１、アナログデータから高周波成分を除去するローパスフィルタ１５２が設けられ、ローパスフィルタ１５２にスピーカ１５３が接続されている。
【００６２】一方、音声合成サーバ２には、クライアント１のテキスト送信部１２から送信されてくるテキストデータを受信するテキスト受信部２１、受信したテキストデータ内の略字や数字の読みの決定を行う前処理部２２０、単語辞書２２４からの情報を参照し形態素解析および構文解析を行う言語処理部２２１、テキストデータがどのように発音されるかを示す発音記号列に変換する発音記号生成部２２２が設けられている。なお、表音記号＝発音記号＋韻律記号である。
【００６３】また、韻律規則２２５を参照し、かつ言語処理部２２１及び発音記号生成部２２２の結果に基づきイントネーションやアクセントを示す韻律記号を生成する韻律記号生成部２２３、音響パラメータを格納したパラメータファイル２３１を参照しつつ発音記号列及び韻律記号列に基づいて音響パラメータ時系列を生成する音響パラメータ生成部２３が設けられている。
【００６４】さらに、音響パラメータ時系列に基づいて音声波形を生成する波形生成部２４、生成された音声波形を符号化する波形符号化部２５、符号化された音声波形を送信する波形送信部２６が設けられている。
【００６５】以下、各部を必要に応じて詳細に説明する。
（中略）
《韻律記号生成部》韻律記号生成部２２３は、韻律規則２２５を参照して言語処理部２２１の解析結果及び発音記号生成部２２２で生成される発音記号に基づきイントネーションやアクセントを示す韻律記号を生成する。
【００６７】ここで参照する韻律規則２２５とは、言語処理部２２１において得られた構文情報に基づいて、意味の切れ目に休止記号やイントネーションの再立ち上がりを制御する記号を挿入するときの規則を示す。また、単語と付属語や単語同士が接続することによって、単語本来を持つアクセントの位置が変化するときの規則を示す。
【００６８】次に、音響パラメータ生成部２３は、パラメータファイル２３１を参照し、発音記号列及び韻律記号列に基づいて音響パラメータ時系列を生成する。音響パラメータとは、実際の音声データを何らかの方法によって合成単位（例えば音素や音節）毎に情報圧縮したデータである。音響パラメータとしては、情報圧縮の方式の違い（音声生成過程のモデル化の違い）によって、ＰＡＲＣＯＲ（ＬＰＣ）、ＬＳＰ、フォルマント等がある。
（中略）
【００８１】次に、図７に戻り、実施例１の音声合成処理を説明する  ユーザによりクライアント１のテキスト入力部１１からテキストデータが入力されると、入力されたテキストデータがテキスト送信部１２から音声合成サーバ２へ送信される。
【００８２】音声合成サーバ２では、テキスト受信部２１が、そのテキストデータを受信し、前処理部２２０が、当該テキストデータ内の略字や数字の読みの決定を行う。さらに、言語処理部２２１は、単語辞書２２４の情報を参照し、テキストデータの形態素解析及び構文解析を行う。発音記号生成部２２２は、テキストデータがどのように発音されるかを示す発音記号列に変換し、韻律記号生成部２２３は、言語処理部２２１及び発音記号生成部２２２の結果に基づきイントネーションやアクセントを示す韻律記号列を生成する。
【００８３】次に、音響パラメータ生成部２３は、パラメータファイル２３１を参照し、発音記号列及び韻律記号列に基づいて音響パラメータ時系列を生成する。波形生成部２４は、音響パラメータ時系列に基づいて音声波形を生成する。波形符号化部２５は生成された音声波形を情報圧縮する。波形送信部２６は情報圧縮された合成波形をクライアント１の波形受信部１３へ送信する。
【００８４】クライアント１側では、波形受信部１３がサーバ２からの情報圧縮された波形を受信し、波形復号化部１４が符号化された音声波形を復号する。ＤＡ変換部１５１はディジタル音声波形をアナログ音声波形に変換する。そして、そのアナログ音声信号がローパスフィルタ１５２を通ってスピーカ１５２から出力される。」
　
　また、原査定の拒絶の理由に引用された、本願出願日の前である平成１１年８月６日に頒布された特開平１１−２１５２４８号公報（以下、「引用例２」という。）には、図面とともに以下の事項が記載されている。
（ｄ）
「【０００１】
【発明の属する技術分野】本発明は、通信ネットワークを介して接続されたユーザ端末、および、ユーザ端末からの情報に基づき、ポケットベル（ページャ）などの文字あるいは音声による表現を行う無線端末に対して所定の情報を送信する送信サーバを備えた通信システムに関する。
（中略）
【発明が解決しようとする課題】ところで、携帯電話やＰＨＳ（送信側無線端末）にて、インターネットを介してプロバイダ側のサーバに音声データや文字データを送信し、さらに、このサーバが、受け入れた音声データや文字データに基づき、所定の情報を、受信側無線端末（たとえば、ページャ）に送信する技術が提案されている。この技術において、送信側端末装置が所望の情報を受信側無線端末に伝達できることが望ましい。」
（ｅ）
「【００１２】
【課題を解決するための手段】この発明に係る通信システムは、少なくとも一つの無線通信端末装置と、当該無線通信端末装置との間で情報通信可能なプロバイダ設備とを備えた通信システムであって、前記無線通信端末装置は、メッセージ情報及び前記メッセージ情報の出力形式を選択する選択情報を送信する送信手段を含み、前記プロバイダ設備は、前記メッセージ情報を前記選択情報に従った出力形式で出力する処理部を含むものである。選択情報により、より正確に意思を伝えることができる。
（中略）
【００１４】上記選択情報で指定される出力形式には、所定の著名人および／またはキャラクタの口調や声色、所定の感情に基づく抑揚、或いは、所定の方言が含まれる。すなわち、入力された音声が、著名人やアニメーションのキャラクタの口調や声色に変換され、「怒り」、「悲しみ」などの感情に基づく抑揚が付加される。
（中略）
【００１５】この発明に係る通信システムは、前記プロバイダ設備が、前記メッセージ情報の出力形式を前記選択情報に従って選択する出力形式選択手段及び選択された出力形式の音声に変換する音声変換手段を備え、前記出力形式選択手段が、所定の著名人および／またはキャラクタの口調や声色のうちの何れかを選択するように構成され、前記音声変換手段が、選択された口調や声色の音声信号に変換するように構成されたものである。」
（ｆ）
「【００３３】
【発明の実施の形態】本発明の第１の実施の形態．
１．システムの概略説明
以下、添付図面を参照して、本発明の実施の形態につき説明を加える。図１は、本発明の第１の実施の形態にかかる通信システムの概略を示すブロックダイヤグラムである。図１に示すように、通信システム１０は、少なくとも一以上のＰＨＳ(Personal Handy-phone System)端末１２と、ＰＨＳ端末１２からの信号を中継するＰＨＳ基地局１４と、ＩＳＤＮなどの回線網１６と、ＰＨＳ端末１２からＰＨＳ基地局１４を介して受け入れた信号に基づき、他の端末に所定の信号を送信するプロバイダシステム１８と、PSTN／ISDNやインターネットなどから構成される回線網２０、２２、２４と、受信側のメールサーバ２６と、パーソナルコンピュータなどのユーザ端末２８とを備えている。
（中略）
【００３６】図２は音声でメッセージを再生する場合の機能ブロック図である。図２において、マイク１２０１で変換された音声信号は、音声認識部１２０２で送信文字列（メッセージ情報）に変換された後、電子メール送信部１２０３に入力される。また、電話番号等の送信相手先を示す送信情報入力も入力される。さらに、送信電子メール送信部１２０３には、メッセージ情報の出力形式を選択するための選択情報も入力される。例えば図２に示すように、方言、言語などの文字列の種類を選択するための文字列種類選択情報、及び、感情などの音色の種類を選択するための音色種類選択情報である。これらのデータは所定のフォーマットに取り纏められて、モデム／ＴＡ（Terminal Adapter）／ＰＩＡＦＳ１２０４に出力され、送信機１２０５を介して送信される。
【００３７】通信網を介してプロバイダシステム１８で受信されたメッセージ情報及びその選択情報は、音声でメッセージを再生する場合、リモートサーバ３０、メールサーバ３４を介してゲートウエイサーバ３２に入力される。
（中略）
次に、音声合成・音色変換部３２０４では、データベース３２０５に基づき変換された文字列に基づき公知の音声合成を行いデータを音声信号に変換するとともに、音声変換種類データに基づき所定の表現（感情表現など）を行う（この点については後述する）。その後、網接続装置３２０６、ＰＳＴＮ２０を介して、指定された相手に音声信号が送出される。」
（ｇ）
「【００４４】２．システム構成要素の動作説明
次に、システムを構成する各要素の動作について説明する。
（中略）
【００５２】音声認識部５０は、受け入れた音声信号を認識して、音声を構成する文字列を特定する。また、制御部４８は、認識された文字列を解析して、当該文字列の構造を解析した後に、文字列に、選択された変換を施して、変換された文字列を作成する。なお、文字列の変換部は、端末あるいはサーバのとちらにあってもよい。後述するように、本実施の形態においては、この変換には、入力された文字列を、(１)対応する方言に変換するもの、(２)著名人やアニメなどのキャラクタの物まねの口調および／または声色に変換するもの、(３)その抑揚を指定されたものに変換するもの、（４）翻訳するもの、が含まれる。
【００５３】これらのうち、(２)や(３)を実現するためには、たとえば、特開平２−106799号公報および／または特開平２−236600号公報に記載された手法を用いることが可能である。また、(１)を実現するために、後述するようにメモリ５４内には所定の変換テーブルが設けられている。」
（ｈ）
「【００７６】３．操作例
この発明の理解を助けるために、操作例を含む処理の例を示す。
【００７７】＜端末における処理＞
（中略）
【００８３】（５）発声者がＰＨＳ端末にデジタル的に記録され、音声認識が行われ、文字化される（上記Ｓ３０２に相当）。この文字をメッセージとして端末内に保存しておく。
（中略）
【００８６】Type1：送信先を指定する。以下のいずれかとなる。
【００８７】Voice：音声（Telephony  Gateway  Server  １（ゲートウエイサーバー３２に相当）へ）。
（中略）
【００９０】Type2：type１のタイプをさらに詳しく指定する。次のいずれかになる。
【００９１】type１がvoiceの場合：音色を指示する。例えば、アニメの主人公の声。
（中略）
【０１０５】＜ゲートウエイサーバにおける処理＞
（中略）
【０１１１】（７）messageで指定されたメッセージをtype２で指定された音色で再生する。漢字のメッセージの場合は、漢字仮名文字変換を行った上で再生する。
（中略）
【０１１３】（９）（８）の音声をスピーカで再生する。
（中略）
Type２で規定された音色は、あらかじめサーバに記録されている。そのフォーマットの例を図１２に示す。」
　
３．対比
　本願補正発明と引用例１に記載された発明（以下、「引用例１発明」という。）とを比較する。
　上記２（ａ）、（ｂ）及び（ｃ）によれば、引用例１発明の「音声合成サーバ」は、ローカルエリアネットワーク（本願補正発明の「ネットワーク」に相当）に接続されたクライアント（本願補正発明の「顧客の端末」に相当）の要求に応じて音声合成し、音声合成により得られた音声波形（本願補正発明の「音声合成データ」に相当）を、当該ＬＡＮを介して当該クライアントに送信しているから、本願補正発明の「ネットワーク上に接続された顧客の端末の要求に応じて音声合成し、音声合成により得られた音声合成データを、当該ネットワークを介して当該顧客の端末に配信するサーバ」に相当する。
　上記２（ｃ）によれば、引用例１発明の「音響パラメータ」は、実際の音声データを何らかの方法によって合成単位（例えば音素や音節）毎に情報圧縮したデータであって、人間の音声をモデル化して得た「音声データ」である点で、本願補正発明の「声質データ」と共通している。また、引用例１発明の「韻律規則２２５」は、言語処理部２２１において得られた構文情報に基づいて、意味の切れ目に休止記号やイントネーションの再立ち上がりを制御する記号を挿入するときの規則や、単語と付属語や単語同士が接続することによって、単語本来を持つアクセントの位置が変化するときの規則を示すものであるから、本願補正発明の「韻律データ」に相当する。そして、「音響パラメータ」は、「音声合成サーバ」内の「パラメータファイル２３１」を参照することにより生成されることから、音声合成サーバ内に格納されているといえる。また、「韻律規則２２５」も音声合成サーバ内に格納されている。よって、引用例１発明の「音声合成サーバ」には、「音声データおよび韻律データを含む音声特徴データ」が格納されているといえ、本願補正発明と引用例１発明とは、「音声データおよび韻律データを含む音声特徴データを格納する音声特徴データ格納部」を備える点で一致している。もっとも、引用例１発明では、「音声データおよび韻律データ」は「話者の音声を分析して得られた」ものであるかは明確でない。
　上記２（ｂ）及び（ｃ）によれば、引用例１発明の「音声合成サーバ」は、ネットワークを介して、音声合成すべきテキストデータ（本願補正発明の「文章」に相当）の指定を含むクライアントからの要求を受信して音声合成を行っている。よって、本願補正発明と引用例１発明とは、「ネットワークを介して、音声合成すべき文章の指定を含む前記顧客の端末からの要求を受け付ける要求受付部」を備える点で一致している。もっとも、引用例１発明では、上記「要求」に「話者の指定」を含むものではない。
　上記２（ｂ）及び（ｃ）によれば、引用例１発明の「音声合成サーバ」では、受信したクライアントからの要求に応じ、音響パラメータのパラメータファイル２３１及び韻律規則２２５を参照し、指定された音声合成すべきテキストデータを、韻律規則に基づいて韻律記号を生成し（本願補正発明の「韻律制御を行う」ことに相当）、更に、音響パラメータ時系列を生成し、これに基づいて音声波形を生成している（本願補正発明の「音声合成する」ことに相当）。ここで、上記の音響パラメータ時系列を生成することは、「音声データを組み合わせる」ことといえるから、本願補正発明と引用例１発明とは、「要求受付部を介して入力された前記顧客の端末からの要求に応じ、前記音声特徴データ格納部に格納される音声特徴データである音声データおよび韻律データを参照し、指定された前記音声合成すべき文章を、韻律データに基づいて韻律制御を行うとともに音声データを組み合わせることによって音声合成する音声合成データ生成部」を備える点で一致している。
　上記２（ｂ）及び（ｃ）によれば、引用例１発明の「音声合成サーバ」は、「データ送信部２６０（又は「波形送信部２６」）」から、音声合成することにより生成した音声波形を、ネットワークを介してクライアントに送信している。よって、引用例１発明は、本願補正発明の「音声合成することにより生成した音声合成データを、前記ネットワークを介して当該顧客の端末に受け渡すデリバリ処理部」に相当する構成を備えているといえる。
　
　すると、本願補正発明と引用例１発明とは、次の点で一致する。
 「ネットワーク上に接続された顧客の端末の要求に応じて音声合成し、音声合成により得られた音声合成データを、当該ネットワークを介して当該顧客の端末に配信するサーバであって、
　音声データおよび韻律データを含む音声特徴データを格納する音声特徴データ格納部と、
　前記ネットワークを介して、音声合成すべき文章の指定を含む前記顧客の端末からの要求を受け付ける要求受付部と、
　前記要求受付部を介して入力された前記顧客の端末からの要求に応じ、前記音声特徴データ格納部に格納される音声特徴データである音声データおよび韻律データを参照し、指定された前記音声合成すべき文章を、韻律データに基づいて韻律制御を行うとともに音声データを組み合わせることによって音声合成する音声合成データ生成部と、
　音声合成することにより生成した音声合成データを、前記ネットワークを介して当該顧客の端末に受け渡すデリバリ処理部と
を備えることを特徴とするサーバ。」 
 　 
　一方で、両者は、次の相違点で相違する。
　格納される「音声データおよび韻律データ」が、本願補正発明では、「話者の音声を分析して得られた声質データおよび韻律データ」であり、また、顧客の端末からの要求に応じ、「音声特徴データ格納部に格納される音声特徴データのうち指定された話者の声質データおよび韻律データを当該音声特徴データ格納部から読み出し」、音声合成する際、韻律制御が「当該指定された話者の韻律データ」に基づいて行われるとともに、組み合わせる音声データとして「当該指定された話者の声質データ」を用いるのに対し、引用例１発明では、上記「音声データおよび韻律データ」は「話者の音声を分析して得られた声質データおよび韻律データ」ではなく、また、クライアントからの要求において、「話者」の指定は含まれておらず、音声合成は、音響パラメータファイル及び韻律規則を参照することにより行われる点。
 　 
４．判断 
　そこで、上記相違点について検討する。 
　上記２に示した引用例２についての（ｄ）〜（ｈ）によれば、引用例２に記載された発明（以下、「引用例２発明」という。）は、通信ネットワークを介して接続されたユーザ端末、および、ユーザ端末からの情報に基づき、音声による表現を行う無線端末に対して所定の情報を送信する送信サーバを備えた通信システムであって、ユーザ端末側で文字列及び著名人やアニメなどのキャラクタ（本願補正発明の「話者」に相当）を指定して、サーバにおいて当該著名人やアニメなどのキャラクタの口調および／または声色に変換するために、上記サーバ内に上記著名人やアニメなどのキャラクタの音色に対応するデータ（本願補正発明の「声質データ」に相当）が記録（格納）されている事項が記載されている（上記２に示した引用例２についての（ｈ）の【０１１３】及び図１２を参照）。また、引用例２発明には、著名人やアニメなどのキャラクタの口調に対応するデータ（本願補正発明の「韻律データ」に相当）をサーバ内に格納する旨の記載はないが、引用例２発明は、著名人やアニメなどのキャラクタの声色だけでなく、口調も変換する旨が記載されているから、声色及び口調を変換する場合に、著名人やアニメなどのキャラクタの音色に対応するデータだけでなく、口調に対応するデータも格納されていることは明記されていなくとも当然である。口調に対応するデータが存在しなければ変換することはできない。
　ここで、引用例１発明と引用例２発明とは、音声合成するサーバを備える点で技術的に共通の分野に属するものといえ、また、サーバがネットワークを介して受信したテキストデータに従って音声合成し、音声を送信先に出力する点で共通している。よって、引用例１発明において、著名人やアニメなどのキャラクタの口調および声色での音声合成を行うために、引用例２発明を採用して、「話者の音声を分析して得られた声質データおよび韻律データ」をサーバ内の音声特徴データ格納部に格納し、クライアントからテキストデータ及び「話者」の指定を行い、「音声特徴データ格納部に格納される音声特徴データのうち指定された話者の声質データおよび韻律データを当該音声特徴データ格納部から読み出し」、音声合成する際、韻律制御が「当該指定された話者の韻律データ」に基づいて行われるとともに、組み合わせる音声データとして「当該指定された話者の声質データ」を用いる構成とすることは当業者が容易になし得ることであり、その作用効果も当業者が予測し得るものにすぎない。
　
　したがって、本願補正発明は、引用例１発明及び引用例２発明に基づいて当業者が容易に発明をすることができたものである。
　
５．本件補正についてのむすび 
　以上のとおり、本願補正発明は、特許法第２９条第２項の規定により特許を受けることができないものであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
１．本願発明
　平成１７年２月１７日付けの手続補正は上記のとおり却下されたので、本願の請求項６に係る発明は、平成１６年７月２２日付け手続補正書により補正された明細書の特許請求の範囲の請求項６に記載されたとおりのものであるところ、請求項６に係る発明（以下、「本願発明」という。）は、次のとおりのものである。 
 「【請求項６】　ネットワーク上に接続された顧客の端末の要求に応じて音声合成する
サーバであって、
　話者の音声を分析して得られた声質データおよび韻律データを含む音声特徴データを格納する音声特徴データ格納部と、
　前記ネットワークを介して、音声合成すべき文章および話者の指定を含む前記顧客の端末からの要求を受け付ける要求受付部と、
　前記要求受付部を介して入力された前記顧客の端末からの要求に応じ、前記音声特徴データ格納部に格納される音声特徴データのうち指定された話者の声質データおよび当該指定された話者の韻律データを当該音声データ格納部から読み出し、指定された前記音声合成すべき文章を、当該指定された話者の韻律データに基づいて韻律制御を行うとともに当該指定された話者の声質データを組み合わせることによって音声合成する音声合成データ生成部と、
　音声合成することにより生成した音声合成データを、前記ネットワークを介して当該顧客の端末に受け渡すデリバリ処理部と
を備えることを特徴とするサーバ。」
　なお、本願発明の「当該音声データ格納部」は「当該音声特徴データ格納部」の誤記と認められる。
 　 
２．引用刊行物記載の発明 
　原査定の拒絶の理由に引用された引用例及びその記載事項は、上記「第２　［理由］２．」に記載したとおりである。　 
 　 
３．対比・判断 
　本願発明は、上記「第２　［理由］１．」で検討した本願補正発明から、「サーバ」について、「音声合成により得られた音声合成データを、当該ネットワークを介して当該顧客の端末に配信する」という限定を省いたものである。
　そうすると、本願発明の構成要件をすべて含み、更に他の要件を付加したものに相当する本願補正発明が、上記「第２　［理由］４．」に記載したとおり、引用例１発明及び引用例２発明に基づいて、当業者が容易に発明をすることができたものであるから、本願発明も、同様の理由により、引用例１発明及び引用例２発明に基づいて当業者が容易に発明をすることができたものである。
　
４．むすび 
　以上のとおり、本願の請求項６に係る発明は、特許法第２９条第２項の規定により特許を受けることができないものである。
　したがって、その余の請求項について検討するまでもなく、本願は、拒絶すべきものである。 
　よって、結論のとおり審決する。